(57)【要約】      （修正有）【課題】アドレス情報の検出に信頼性を保ちながら、ユーザデータの記録に対する影響を軽減する光ディスク媒体ならびに光ディスク装置を提供する。【解決手段】ランドおよびグルーブに情報の記録が可能であって、円周方向に所定数で分割したアドレス情報単位を有し、前記ランドまたは前記グルーブはウォブル（４０１，４０２，４０３，４０４）を有し、前記アドレス情報単位は基本ウォブルとなる形状を有し、前記基本ウォブルは一定周波数となる波形成分を含む形状であり、前記アドレス情報は前記ランドまたは前記グルーブのウォブルによって形成し、前記アドレス情報のウォブルの形状が、第１の波形成分および第２の波形成分を含む形状であって、前記第１の波形成分および前記第２の波形成分の周波数は前記基本ウォブルの周波数と異なり、前記第１の波形成分と前記第２の波形成分は位相が異なる、記録領域を有する光ディスク媒体。【選択図】図４
2014238894.tif 000002
【特許請求の範囲】
【請求項１】
ランドおよびグルーブに情報の記録が可能であって、
円周方向に所定数で分割した、アドレス情報単位を有し、
前記ランドまたは前記グルーブは、ウォブルを有し、
前記アドレス情報単位は、基本ウォブルとなる形状を有し、
前記基本ウォブルは、一定周波数となる波形成分を含む形状であり、
前記アドレス情報は、前記ランドまたは前記グルーブのウォブルによって形成し、
前記アドレス情報のウォブルの形状が、第１の波形成分および第２の波形成分を含む形状であって、
前記第１の波形成分および前記第２の波形成分の周波数は、前記基本ウォブルの周波数と異なり、
前記第１の波形成分と前記第２の波形成分は位相が異なる、記録領域を有する光ディスク媒体。
【請求項２】
前記第１の波形成分および前記第２の波形成分は、正弦（ｓｉｎ）成分または余弦（ｃｏｓ）成分を含む、請求項１記載の光ディスク媒体。
【請求項３】
前記第１の波形成分および前記第２の波形成分の周波数は、前記基本ウォブルの周波数の２倍である、請求項１記載の光ディスク媒体。
【請求項４】
前記第１の波形成分の位相と前記第２の波形成分は位相が９０°異なる、請求項１記載の光ディスク媒体。
【請求項５】
前記所定数は奇数である、請求項１記載の光ディスク媒体。
【請求項６】
請求項１〜請求項５に記載の光ディスク媒体に記録再生を行う光ディスク装置であって、
トラックのウォブルに応じた信号を生成する信号生成手段と、
前記信号生成手段の生成した信号から第１の波形成分および第２の波形成分を生成する波形生成手段と、
前記波形生成手段の生成した前記第１の波形成分の信号を用いて位相検波を行う第１の波形成分検波手段と、
前記波形生成手段の生成した前記第２の波形成分の信号を用いて位相検波を行う第２の波形成分検波手段と、
前記第１の波形成分検波手段および前記第２の波形成分検波手段の検波結果に基づいてアドレスの検出を行うアドレス情報検出手段、を有し、
前記第１の波形成分および前記第２の波形成分の周波数は、前記基本ウォブルの周波数と異なり、
前記第１の波形成分と前記第２の波形成分は位相が異なる、光ディスク装置。
【発明の詳細な説明】
【技術分野】
【０００１】
本開示は、光学的に記録が可能な光ディスク媒体と、その媒体の再生装置、記録装置に関する。
【背景技術】
【０００２】
映像分野では、ＤＶＤやＢＤ（Ｂｌｕ−ｒａｙ（登録商標）  Ｄｉｓｃ）等の光ディスクがよく知られている。これらの光ディスクは、映像の記録用として用いられる一方、パーソナルコンピュータの外部記録メディアとしても用いられている。パーソナルコンピュータの外部記録メディアとしてはハードディスクやフラッシュメモリ等も用いられているが、光ディスクはそれらのメディアと比較して光ディスク媒体は長寿命、高信頼、保存電力不要という利点がある。これらの利点に着目し、データセンター等の重要なデータのアーカイブメディアとして注目されている。しかしながら、現在最も容量の大きいＢＤ−ＸＬで１枚辺り１２８ＧＢの容量であり、保存スペースが必要という問題があるため、さらなる高密度化が要望されている（例えば特許文献１など）。
【先行技術文献】
【特許文献】
【０００３】
【特許文献１】特開２００４−２６５５４６号公報
【発明の概要】
【発明が解決しようとする課題】
【０００４】
本開示は、アドレス情報の検出に信頼性を保ちながら、ユーザデータの記録に対する影響を軽減する光ディスク媒体ならびに光ディスク装置を提供する。
【課題を解決するための手段】
【０００５】
本開示にかかる光ディスク媒体は、ランドおよびグルーブに情報の記録が可能であって、円周方向に所定数で分割したアドレス情報単位を有し、ランドまたはグルーブはウォブルを有し、アドレス情報単位は基本ウォブルとなる形状を有し、基本ウォブルは一定周波数となる波形成分を含む形状であり、アドレス情報はランドまたはグルーブのウォブルによって形成し、アドレス情報のウォブルの形状が、第１の波形成分および第２の波形成分を含む形状であって、第１の波形成分および第２の波形成分の周波数は基本ウォブルの周波数と異なり、第１の波形成分と第２の波形成分は位相が異なる、記録領域を有する。
【発明の効果】
【０００６】
本開示における光ディスク媒体および光ディスク装置によれば、アドレス情報の検出に信頼性を保ちながら、ユーザデータの記録に対する影響を軽減するのに有効である。
【図面の簡単な説明】
【０００７】
【図１】実施の形態における光ディスク媒体の模式図
【図２】実施の形態における光ディスク媒体の記録面の斜視図
【図３】実施の形態における光ディスク媒体のアドレス情報単位（ＡＤＩＰ）の構成を説明するための図
【図４】実施の形態におけるアドレス情報を有するウォブル形状を説明するための図
【図５】ランドにおける両隣のグルーブの位相に対するランドトラック幅の変動を説明するための図
【図６】実施の形態におけるＡＤＩＰの並びを説明するための図
【図７】実施の形態における光ディスク装置のブロック図
【図８】実施の形態におけるウォブル処理部の構成および動作を説明するための図
【図９】実施の形態における光ディスク装置のアドレス再生の動作を説明するためのフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは当業者が本開示を十分に理解するために添付図面および以下の説明を提供するものであって、これらによって、特許請求の範囲に記載の主題を限定することを意図するものではない。
【００１０】
（実施の形態）
以下、図面を参照しながら実施の形態における光ディスク媒体および光ディスク装置について説明する。
【００１１】
光ディスクには光スポットを記録トラックに高精度に制御するためにグルーブと呼ばれる案内溝が設けられている。そして光ディスクを高密度化する技術として、ランドグルーブ記録技術がある。ランドグルーブ記録は、グルーブだけでなく、グルーブとグルーブの間のランドと呼ばれる案内溝間にもユーザデータを記録するというものである。
【００１２】
光ディスクにはユーザデータを記録、再生する場所を特定するために物理アドレスが設けられている。物理アドレスを形成する方法の一つに、プリピットによるものがある。しかし、プリピット部分にはユーザデータが記録できないため、物理アドレスを配置する分記録容量が減少するという問題がある。
【００１３】
また、別の物理アドレスを形成する方法として、トラックの蛇行（以下、ウォブル）によるウォブルアドレスがある。トラックの蛇行による物理アドレスの記録は、ユーザデータの記録再生とは別の検出方法で信号を検出することができるため記録容量が減少しないというメリットがある。一方、ディスク製造時に直接形状を制御することができないランドにおいてはアドレスの記録方法が難しく、隣接するグルーブの形状で物理アドレス情報を記録する必要がある。
【００１４】
グルーブのウォブルによるランドのアドレス表記方法としては次のような技術がある。例えば光ディスク媒体には、ランドにアドレス情報を配置するために、セグメント単位に第１のアドレス情報領域と第２のアドレス情報領域を設け、第１のアドレス情報領域と第２のアドレス情報領域のうちどちらか一方のアドレス情報領域に両隣接トラックグルーブのウォブルを反転するかしないかによって“０”か“１”の１ビットのアドレスを記録する。
【００１５】
そして、ランドトラック毎に第１のアドレス情報領域と第２のアドレス情報領域を交互に使用し、セグメント毎に第１のアドレス情報と第２のアドレス情報のうちいずれが有効であるかを示す選択信号を記録することにより、グルーブトラックのウォブルによってランドのアドレス情報の記録を可能としている。
【００１６】
上記の光ディスク媒体は、アドレスが配置されているアドレス情報領域のランドに隣接するグルーブにはアドレスは配置されていない構成となっている。しかしながら、アドレスが配置されていないアドレス情報領域のランドには、内周側に隣接するグルーブにも外周側に隣接するグルーブにもアドレスを構成するグルーブが配置されていることになる。
【００１７】
両隣のグルーブ形状が同一なら問題ないが、形状が異なる場合は外周側のグルーブと内周側のグルーブの位相が反転していることになる。その場合、ランドのトラック幅は大きく変動することになり、ユーザデータの記録再生に悪影響を与えるという課題がある。
【００１８】
さらに、セグメント毎に設けられた第１のアドレス情報と第２のアドレス情報のうちいずれが有効であるかを示す選択信号は、その選択信号自体の検出に失敗すると誤ったアドレス情報を検出してしまうという、信頼性上の課題がある。
【００１９】
図１は、本実施の形態における光ディスク媒体の模式図である。光ディスク１０１は図１に示すようにグルーブトラック（以下、グルーブ）１０２がスパイラル状に形成されている。スパイラル状を成すグルーブ１０２に挟まれた部分にランドトラック（以下、ランド）１０３が形成され、光ディスク１０１はグルーブ１０２とともにランド１０３も記録トラックとして使用される。
【００２０】
グルーブ１０２およびランド１０３は１周を一定の角度（ディスクの中心角度のある一定範囲分）で分割され、アドレス情報単位となるＡＤＩＰ（ＡＤｒｅｓｓ  Ｉｎ  Ｐｒｅ−Ｇｒｏｏｖｅ）１０４を形成している。ＡＤＩＰ１０４は、光ディスク１０１におけるひとつのアドレス情報を有する。またＡＤＩＰ１０４は、先頭部分に同期領域１０５を有し、アドレス情報領域１０６が後続する構成である。この構成は光ディスク１０１の内周から外周まで放射状に同じ角度範囲で一定に保たれている。
【００２１】
図２は、光ディスク１０１の記録面の一部を拡大した斜視図である。グルーブ１０２はディスク製造時において、スタンパ上に溝として形成されている部分が、その転写によって記録面に形成されるものである。そしてグルーブ１０２は、光が照射される側に近い位置にある。また、スタンパ上に溝を形成する場合に、ディスク製造装置においては一定のビーム強度で形成するため溝幅もほぼ一定となるように作製される。その転写で形成される光ディスク１０１におけるグルーブ１０２も光ディスク１０１全面においてトラック幅がほぼ一定である。
【００２２】
また、グルーブ１０２およびランド１０３は図２に示すように大部分において一定周期で蛇行している。この蛇行をウォブルと呼ぶ。ウォブルは光スポット２０１がグルーブ１０２またはランド１０３を追従する場合において追従する反応速度より短い周期で形成されている。このため、光スポット２０１とグルーブ１０２またはランド１０３の位置関係に変位が生じ、その変位を光学的に検出し電気信号に変換することによってウォブルの形状を検出することができる。
【００２３】
ウォブルの検出信号はその検出信号に同期したクロックを生成することで、光ディスク１０１における物理長さや線速度の検出に用いたり、ウォブル形状を変化させることによる副情報を記録に用いたりすることができる。本実施の形態における光ディスク媒体では、ウォブルによってアドレス情報を記録している。
【００２４】
グルーブ１０２は前述したようにディスク製造の都合上トラック幅が常に一定であるが、グルーブ１０２に挟まれたランド１０３は隣接する内周側グルーブと外周側グルーブのウォブルの位相に応じてトラック幅が変動する場合がある。
【００２５】
次に、図３を用いてＡＤＩＰ１０４の詳細を説明する。図３は本来図１に示すように連続しているＡＤＩＰ１０４を、後述するＡＤＩＰユニット３０３毎に分割し、紙面上に並列して記載している。ＡＤＩＰ１０４は大部分において共通した形状の基本ウォブル３０２で構成されている。基本ウォブル３０２のウォブルの形状は、＋ｃｏｓ（ωｔ）の波形に相当する。そして基本ウォブル３０２の１周期内において最大内周変位、最大外周変位、最大内周変位と推移する形状を為している。
【００２６】
ＡＤＩＰ１０４において、基本ウォブル３０２以外の部分も基本ウォブル３０２の１周期と同じ周期を最小単位として構成されている（以下、この基本ウォブル３０２の１周期をウォブル周期と呼ぶ）。そして、５６ウォブル周期によってＡＤＩＰユニット３０３を構成している。さらに、例えば８３のＡＤＩＰユニット３０３を接続することにより、ＡＤＩＰ１０４を構成している。
【００２７】
ＡＤＩＰユニット３０３は先頭３ウォブル周期にＡＤＩＰユニット３０３同士の区切りを示すＭＳＫ（Ｍｉｎｉｍｕｍ  Ｓｈｉｆｔ  Ｋｅｙｉｎｇ）マーク３０１が配置されている。ＭＳＫマーク３０１は、形状が＋ｃｏｓ（１．５ωｔ）、−ｃｏｓ（ωｔ）、−ｃｏｓ（１．５ωｔ）の波形となるウォブルを、それぞれ１ウォブル周期ずつ接続することで構成されている。ＭＳＫマーク３０１の２番目に配置されている波形−ｃｏｓ（ωｔ）で表されるウォブルは、基本ウォブル３０２に対して位相が反転した形状である。このため基本ウォブル３０２に同期した信号から位相検波することで位置を検出することが可能である。
【００２８】
ＡＤＩＰユニット３０３のうち、ＭＳＫマーク３０１に後続する残り５３ウォブル周期はそれぞれ与えられた機能ごとに特定のパターンを有している。
【００２９】
まずはＡＤＩＰ１０４の同期領域１０５に含まれるＡＤＩＰユニット３０３について説明する。同期領域１０５には、モノトーンＡＤＩＰユニット３０４、第１の同期ＡＤＩＰユニット３０５、第２の同期ＡＤＩＰユニット３０６、第３の同期ＡＤＩＰユニット３０７、および第４の同期ＡＤＩＰユニット３０８が存在する。
【００３０】
モノトーンＡＤＩＰユニット３０４は、先頭のＭＳＫマーク３０１を除き、他は基本ウォブル３０２によってのみ構成されている。これはウォブルに同期したクロックを安定に生成するためである。
【００３１】
第１の同期ＡＤＩＰユニット３０５、第２の同期ＡＤＩＰユニット３０６、第３の同期ＡＤＩＰユニット３０７、第４の同期ＡＤＩＰユニット３０８は、ＡＤＩＰ１０４における位置を特定するためのものである。そしてこれらは、ＡＤＩＰ１０４の先頭近くに配置され、当該ＡＤＩＰ１０４内に同一パターンのＡＤＩＰユニットは他に存在しない。
【００３２】
次にＡＤＩＰ１０４のアドレス情報領域１０６に含まれるＡＤＩＰユニット３０３について説明する。アドレス情報領域１０６には、識別ＡＤＩＰユニット３１１、アドレス情報ＡＤＩＰユニット３１３が存在する。
【００３３】
アドレス情報領域１０６は１つの識別ＡＤＩＰユニット３１１と４つのアドレス情報ＡＤＩＰユニット３１３を１単位とし、その１５単位から構成されている。
【００３４】
識別ＡＤＩＰユニット３１１は、先頭３ウォブル周期にＭＳＫマーク３０１、後続する２７ウォブル周期に基本ウォブル３０２、さらに後続する２６ウォブル周期に識別ウォブル３１２が続く。識別ウォブル３１２は後述する。
【００３５】
アドレス情報ＡＤＩＰユニット３１３は１ビットの情報を有し、アドレス情報領域１０６全体として７５のＡＤＩＰユニットにより６０ビットの情報を有する。
【００３６】
この６０ビットの情報には光ディスク内における物理位置情報であるアドレス情報だけでなく、多層ディスクにおけるレイヤー情報、光ディスクに記録するための条件に関する情報、著作権情報、等の副情報、および、それらの情報に対するエラー訂正／エラー検出符号を有するように構成してもよい。
【００３７】
アドレス情報ＡＤＩＰユニット３１３は、ＭＳＫマーク３０１、基本ウォブル３０２、およびアドレス情報ウォブル３１４を有する。アドレス情報ＡＤＩＰユニット３１３は、先頭の３ウォブル周期にＭＳＫマーク３０１を有する。それに後続する２７ウォブル周期に基本ウォブル３０２を有する。そしてさらに後続する２６ウォブル周期にアドレス情報ウォブル３１４を有する。アドレス情報ウォブル３１４は、アドレス情報に基づいて形成されたもので、詳細な構成は後述する。
【００３８】
ＡＤＩＰ１０４において、アドレス情報ウォブル３１４以外の部分のウォブル形状は光ディスク１０１の全てのＡＤＩＰにおいて同一配置である。さらに、ＡＤＩＰ１０４は図１にも示したとおり内周から外周にいたるまでどの部分においても放射状に配置されている。この２点のことから、アドレス情報ウォブル３１４以外のウォブル形状は放射状に同一ということになる。
【００３９】
さらには、同一形状のグルーブに挟まれたランドトラックも同一形状となるため、ＡＤＩＰユニット先頭のＭＳＫマーク３０１、第１の同期ＡＤＩＰユニット３０５、第２の同期ＡＤＩＰユニット３０６、第３の同期ＡＤＩＰユニット３０７、および第４の同期ＡＤＩＰユニット３０８は、ランドにおいてもグルーブと同一の形状を成す。つまりグルーブと同様にランドも検出可能であるということになる。
【００４０】
次に、図４を用いてアドレス情報ウォブル３１４の詳細を説明する。ここで、図４（ａ）はパターンＡのウォブル形状４０１の模式図である。図４（ｂ）はパターンＢのウォブル形状４０２の模式図である。図４（ｃ）はパターンＣのウォブル形状４０３の模式図である。図４（ｄ）はパターンＤのウォブル形状４０４の模式図である。これらは識別ウォブル３１２およびアドレス情報ウォブル３１４の形状パターンを示したものである。これらについては後述する。
【００４１】
そして、図４（ｅ）はアドレス情報ウォブル３１４を示したものである。同図に示すアドレス情報ウォブル３１４は、ＡＤＩＰ１０４のうちある任意のＡＤＩＰユニット３０３に着目したものであり、これらがラジアル方法（ディスクの内周から外周方向）に並んでいる様子を示している。これにより同図から、隣接トラックとの関係を確認することができる。また同図左部には、グルーブにＧを、ランドにＬを付記している。
【００４２】
識別ウォブル３１２はランドの状態に基づいて構成される。またアドレス情報ウォブル３１４は、ランドに与えるべきアドレス情報に基づいて構成される。識別ウォブル３１２およびアドレス情報ウォブル３１４の構成は、それらの情報を示すため、そのランドの両隣のグルーブが、パターンＡのウォブル形状４０１、パターンＢのウォブル形状４０２、パターンＣのウォブル形状４０３、パターンＤのウォブル形状４０４から選択することによって表記される。
【００４３】
そして、パターンＡ〜Ｄそれぞれのウォブル形状は、基本ウォブル３０２の形状を示すｃｏｓ（ωｔ）の波形に対して、２倍の周波数であるｓｉｎ（２ωｔ）またはｃｏｓ（２ωｔ）に特定の係数ａを乗算し、加算または減算される形状である。
【００４４】
パターンＡのウォブル形状４０１は、ｃｏｓ（ωｔ）−ａ・ｓｉｎ（２ωｔ）−ａ・ｃｏｓ（２ωｔ）の波形となる形状を繰り返すパターンである。
【００４５】
パターンＢのウォブル形状４０２は、ｃｏｓ（ωｔ）＋ａ・ｓｉｎ（２ωｔ）−ａ・ｃｏｓ（２ωｔ）の波形となる形状を繰り返すパターンである。
【００４６】
パターンＣのウォブル形状４０３は、ｃｏｓ（ωｔ）−ａ・ｓｉｎ（２ωｔ）＋ａ・ｃｏｓ（２ωｔ）の波形となる形状を繰り返すパターンである。
【００４７】
パターンＤのウォブル形状４０４は、ｃｏｓ（ωｔ）＋ａ・ｓｉｎ（２ωｔ）＋ａ・ｃｏｓ（２ωｔ）の波形となる形状を繰り返すパターンである。
【００４８】
このように、パターンＡのウォブル形状４０１〜パターンＤのウォブル形状４０４は、第１の波形成分および第２の波形成分を含む形状となる。さらに第１の波形成分および第２の波形成分は、基本ウォブル３０２の周波数と異なる。さらに第１の波形成分と第２の波形成分との位相が異なる。
【００４９】
上述したように、パターンＡのウォブル形状４０１〜パターンＤのウォブル形状４０４は、識別ウォブル３１２およびアドレス情報ウォブル３１４の形状を示しているため、すなわち識別ウォブル３１２およびアドレス情報ウォブル３１４がこのような構成となる。
【００５０】
本実施の形態では、第１の波形成分および前記第２の波形成分は、正弦（ｓｉｎ）成分または余弦（ｃｏｓ）成分を含む。また第１の波形成分および第２の波形成分は基本ウォブル３０２の周波数の２倍としている。そして第１の波形成分の位相と第２の波形成分は位相が９０°異なる。
【００５１】
このように基本ウォブルに対して振幅の小さい２倍の周波数の波形を重畳することで、ランドの溝幅変動を小さく抑えることができる。重畳されている振幅は小さいため一つ一つのウォブルにあるアドレス情報の信号成分は小さいが、基本ウォブルと異なる周波数で重畳しているため、広い範囲に重畳することができ、その範囲を積算することで信号の信頼性を上げることができる。
【００５２】
ここで、パターンＡ〜パターンＤにおける第２項の係数ａは基本ウォブル３０２に対して２倍の周波数の正弦波をどの程度の割合で加算するかを決定する係数である。本実施の形態の光ディスク媒体では０．１８としている。
【００５３】
パターンＡ〜パターンＤにおける第２項の係数ａは、数値が大きいほどアドレス情報の信頼性が向上するが、ランドトラック幅の変動は大きくなる。逆に数値が小さいほどアドレス情報の信頼性が低下するが、ランドトラック幅の変動は小さくすることができる。係数ａはアドレスの信頼性とランドトラック幅の変動を考慮して０．０５から０．３程度に設定することが好ましい。
【００５４】
次に、本実施の形態の光ディスクにおけるアドレス情報ウォブル３１４のグルーブのパターンを決定する規則について説明する。
【００５５】
任意のランドにおけるＡＤＩＰ１０４は、ＥＶＥＮまたはＯＤＤの２つの状態のうちいずれか一方を選択される。隣接するランドでは、ＥＶＥＮ／ＯＤＤが異なる。つまりラジアル方向に並んだランド毎に交互にＥＶＥＮ／ＯＤＤの状態を選択されている。すなわち任意のグルーブのアドレス情報ウォブル３１４に隣接するランドは、内周側に隣接するランドと外周側に隣接するランドはＥＶＥＮとＯＤＤの状態は必ず異なり、どちらかはＥＶＥＮ、どちらかはＯＤＤである。
【００５６】
隣接するＥＶＥＮ状態を有するランドのアドレス情報ビットに基づいて、ｓｉｎ（２ωｔ）を加算する符号を選択（“０”の場合は“−”、“１”の場合は“＋”とする）し、隣接するＯＤＤ状態を有するランドのアドレス情報ビットに基づいて、ｃｏｓ（２ωｔ）を加算する符号を選択（“０”の場合は“−”、“１”の場合は“＋”とする）するように決定する。
【００５７】
例えば、あるアドレス情報ウォブル３１４に着目すると、隣接するＥＶＥＮ状態のランドのアドレス情報ビットが“０”の場合、隣接するグルーブはパターンＡのウォブル形状４０１かパターンＢのウォブル形状４０２のどちらかしか取り得ず、隣接するＯＤＤ状態のランドのアドレス情報ビットが“１”の場合、隣接するグルーブはパターンＢのウォブル形状４０２かパターンＤのウォブル形状４０４のどちらかしか取り得ないため、両ランドの間のグルーブは必然的にパターンＢのウォブル形状４０２と決定される。
【００５８】
アドレス情報の検出においては、ｓｉｎとｃｏｓは互いに直交している関係にあるため、ｓｉｎ成分で位相検波した場合ｃｏｓ成分は０となり、ｃｏｓ成分で位相検波した場合ｓｉｎ成分は０となる。これを利用して、ＥＶＥＮかＯＤＤかがあらかじめ識別できれば、ｓｉｎ成分もしくはｃｏｓ成分で位相検波することによっていずれかの成分を抽出することで記録されているアドレス情報の抽出を行うことができる。
【００５９】
次に、図５を用いて、識別ウォブル３１２について説明する。これらの識別ウォブルは先に述べたようにＥＶＥＮかＯＤＤかを識別し、ｓｉｎ成分で位相検波するかｃｏｓ成分で位相検波するかを決定するために設けたものである。
【００６０】
同図に示すように、識別ウォブル３１２は、内周から外周に向けてグルーブ毎に、パターンＡのウォブル形状４０１、パターンＢのウォブル形状４０２、パターンＤのウォブル形状４０４、パターンＣのウォブル形状４０３、の順で繰り返されている。
【００６１】
パターンＡのウォブル形状４０１とパターンＢのウォブル形状４０２はその定義されている形状が、ｃｏｓ成分の符号が同一でｓｉｎ成分の符号が反転しているものである。ランドでは隣接するグルーブのウォブル形状が加算されてプッシュプル信号に現れる。つまりパターンＡのウォブル形状４０１とパターンＢのウォブル形状４０２の間のランドでは、ｃｏｓ成分の２倍周波数成分のみがウォブル信号に含まれる。
【００６２】
同様にパターンＢのウォブル形状４０２とパターンＤのウォブル形状４０４の間のランドはｓｉｎ成分の２倍周波数成分のみがウォブル信号に含まれる。また、パターンＤのウォブル形状４０４とパターンＣのウォブル形状４０３の間のランドはｃｏｓ成分の２倍周波数成分のみがウォブル信号に含まれる。そして、パターンＣのウォブル形状４０３とパターンＡのウォブル形状４０１の間のランドはｓｉｎ成分の２倍周波数成分のみがウォブル信号に含まれる。
【００６３】
このように、ランドにおいて識別ウォブル３１２を再生する場合に、２倍周波数成分にｓｉｎ成分のみが検出される場合はＥＶＥＮ状態、ｃｏｓ成分のみが検出される場合はＯＤＤ状態と定義することで、ＥＶＥＮ状態とＯＤＤ状態をランドトラック毎に交互に検出可能な配置とすることができる。
【００６４】
図６は、本実施の形態の光ディスク１０４において、ＥＶＥＮまたはＯＤＤのいずれかの状態が選択されたＡＤＩＰ１０４の配置を示している。
【００６５】
このように、光ディスク１０４内におけるＡＤＩＰ１０４のＥＶＥＮ／ＯＤＤの配置は、１周内のＡＤＩＰ数を奇数としている。つまり光ディスク１０４の円周方向におけるアドレス情報単位での分割数が奇数となっている。そしてさらに連続するトラックにおけるＡＤＩＰ１０４毎にＥＶＥＮ／ＯＤＤの状態を交互に配置する。
【００６６】
これによって、先行するＡＤＩＰ１０４のＥＶＥＮ／ＯＤＤ状態から後続するＡＤＩＰ１０４のＥＶＥＮ／ＯＤＤ状態を容易に類推できる、かつ隣接するランドが交互にＥＶＥＮ／ＯＤＤ状態とすることができる。
【００６７】
また、本実施の形態の光ディスク媒体は、ＡＤＩＰ１０４の配置を放射状に内周から外周まで全て同一角度を成す構成としたが、所定の半径範囲で所定のゾーンを成しゾーン内を本実施の形態の光ディスク媒体と同じ構成とすることでも同様の効果を実現することができる。
【００６８】
次に、本実施の形態における光ディスク装置について説明する。図７は本実施の形態における光ディスク装置のブロック図であり、以下、その構成、動作について説明する。
【００６９】
本実施の形態の光ディスク装置に光ディスク１０１を挿入する。その後、光ヘッド７０１から光ディスク１０１に光ビームが照射される。そして、光ディスク１０１で反射された光ビームがフォトディテクター（図示せず）によって、光電変換が行われ、反射光量の情報が電圧レベルに変換される。当該フォトディテクターは、光ヘッド７０１に含まれており、トラックグルーブ方向（タンジェンシャル方向）および半径方向（ラジアル方向）に４分割されて存在する。
【００７０】
この４分割フォトディテクターから出力された電圧情報を用いて、信号生成部７０３によって、フォーカスエラー信号、トラッキングエラー信号、ウォブル信号、全加算信号がそれぞれ生成される。
【００７１】
ここで、全加算信号は、４分割フォトディテクターを全て加算した信号であり、光ディスクの反射光量そのものを示す信号である。また、フォーカスエラー信号は、例えば非点収差法により検出された信号であり、対角上に配置された４分割フォトディテクターの信号の２組をそれぞれ加算し、その差を求めた信号である。
【００７２】
トラッキングエラー信号およびウォブル信号は、プッシュプル法により検出された信号であり、タンジェンシャル方向に配置された４分割フォトディテクターの２組をそれぞれ加算し、その差を求めた信号である。
【００７３】
トラッキングエラー信号はプッシュプル信号に対して０Ｈｚから数１０ｋＨｚの周波数成分を抽出することによって生成する。ウォブル信号はプッシュプル信号に対して数１０ｋＨｚから数ＭＨｚの信号成分を抽出することによって生成する。
【００７４】
サーボ制御部７０２は、フォーカスエラー信号が０になるように対物レンズを上下に駆動することによって、光スポットを記録面に集光させる。さらにサーボ制御部７０２は、トラッキングエラー信号が０になるように対物レンズをラジアル方向に駆動することによって、光スポットをランドまたはグルーブにトラッキングさせる。
【００７５】
ランドまたはグルーブのどちらにトラッキングするかはトラッキングエラーに応じて、外周側に駆動するか外周側に駆動するかによって決定する。この駆動極性はコントローラ７１１からの指示に従って決定している。
【００７６】
信号生成部７０３は、信号生成手段である。そしてウォブル処理部７０４は信号生成部７０３の生成したウォブル信号を処理する。そして、ウォブル処理部７０４は、ウォブル信号のうち、基本ウォブル３０２の部分の再生信号を逓倍したウォブルクロックの生成、ＡＤＩＰ同期の検出、アドレス情報の再生を行う。
【００７７】
アドレスタイミング生成部７０５は、ウォブル処理部７０４の生成した各種信号から、再生処理のタイミングを生成し再生処理部７０６に出力する。同様にアドレスタイミング生成部７０５は、ウォブル処理部７０４の生成した各種信号から、記録処理のタイミングを生成し記録処理部７０９に出力する。このとき、アドレスタイミング生成部７０５は、コントローラ７１１から指示を受けた目標のアドレスを利用する。
【００７８】
ユーザデータの再生に関しては各部位が以下の動作を行う。まず、再生処理部７０６は、アドレスタイミング生成部７０５が生成した再生目標アドレスのタイミングに応じて、信号生成部７０３が生成した全加算信号からバイナリデータを抽出する。そして、デコーダ７０７はそのバイナリデータを復調、エラー訂正を行い、再生データとして出力する。
【００７９】
ユーザデータの記録に関しては各部位が以下の動作を行う。まず、エンコーダ７０８は記録データを受け取り、エラー訂正符号の付加、バイナリデータへの変調を行う。記録処理部７０９はアドレスタイミング生成部７０５が生成した記録目標アドレスのタイミングに応じて、レーザ駆動部７１０に対して記録パワーの発光指令を行う。
【００８０】
次に、図８を用いて本実施の形態の光ディスク装置のウォブル処理部７０４に関して詳細に説明を行う。
【００８１】
図８において、ウォブル信号処理部７０４にウォブル信号が入力され、ウォブルＰＬＬ８０４は基本ウォブル３０２からの再生信号を逓倍したウォブルクロックの生成を行うが、同時に基本ウォブル３０２の２倍周波数のｓｉｎ波および基本ウォブル３０２の２倍周波数のｃｏｓ波を生成する。つまりウォブルＰＬＬ８０４は、第１の波形形状および第２の波形形状を生成する、波形生成手段である。ここで波形生成手段は、第１の波形形状、第２の波形形状それぞれを生成できるように複数設けても構わない。
【００８２】
本実施の形態の光ディスク装置においては、図８に示すようにｓｉｎ波およびｃｏｓ波は正弦波状、余弦波状のものとしたが、矩形波、三角波等でもほぼ同一の機能を実現することができるため、回路の簡素化のためにそれらの波形を選択しても構わない。
【００８３】
第１の乗算器８０５はウォブル信号とｓｉｎ波の乗算を行う。第２の乗算器８０６はウォブル信号とｃｏｓ波の乗算を行う。
【００８４】
ＡＤＩＰ同期検出部８０１は、ウォブル信号から光ディスク１０１における同期領域１０５の信号を探索することでＡＤＩＰに同期したＡＤＩＰ同期信号を生成する。
【００８５】
タイミング生成部８０２は、ＡＤＩＰ同期検出部８０１の検出したＡＤＩＰ同期信号に基づいて、ウォブルＰＬＬ８０４の生成したウォブルクロックを一定数カウントすることで、アドレス情報ウォブル３１４でアクティブとなるタイミング、および識別ウォブル３１２でアクティブとなるタイミングを生成する。
【００８６】
第１の積分器８０７および第２の積分器８０８は、ＡＤＩＰ１０４の境界においてリセットされ、タイミング生成部８０２の生成した識別ウォブル３１２のタイミングで積分を実施する。これはＡＤＩＰにおける全ての識別ウォブル３１２に対して実施される。第１の積分器８０７は第１の乗算器８０５の出力を積分する。そして、第２の積分器８０８は第２の乗算器８０６の出力を積分する。
【００８７】
ＥＶＥＮ／ＯＤＤ識別部８０３は、ＡＤＩＰ１０４の境界部において、第１の積分器８０７の出力の絶対値と第２の積分器８０８の出力の絶対値を比較する。そして、第１の積分器８０７の出力の絶対値が大きければＥＶＥＮ、そうでなければＯＤＤと判定する。ＥＶＥＮ／ＯＤＤ決定部８１５はＡＤＩＰ１０４の境界部において、先行するＡＤＩＰ１０４の識別結果がＥＶＥＮならＯＤＤを、ＯＤＤならＥＶＥＮを後続するＡＤＩＰのＥＶＥＮ／ＯＤＤの状態として決定し、保持する。
【００８８】
第３の積分器８０９は第１の乗算器８０５の出力を積分する。第４の積分器８１０は第２の乗算器８０６の出力を積分する。第３の積分器８０９および第４の積分器８１０は、アドレス情報ウォブル３１４の境界部でリセットされ、タイミング生成部８０２の生成したアドレス情報ウォブル３１４のタイミング期間でこの積分を実施する。
【００８９】
これらの第１の乗算器８０５、第２の乗算器８０６、第３の積分器８０９、および第４の積分器８１０の動作は、ウォブル信号に対して２倍周波数のｓｉｎを生成し乗算、積分することで２倍周波数のｓｉｎ位相検波を実施している。さらに同様に、２倍周波数のｃｏｓを生成し乗算、積分することで２倍周波数のｃｏｓ位相検波を実施している。よって、第１の乗算器８０５、第２の乗算器８０６、第３の積分器８０９、および第４の積分器８１０は、いずれかまたはこれらの組み合わせが、第１の波形成分検波手段または第２の波形成分検波手段となる。
【００９０】
セレクタ８１１はＥＶＥＮ／ＯＤＤ決定部の出力に応じて、ＥＶＥＮの指示がある場合は第３の積分器８０９からの入力を、ＯＤＤの指示がある場合は第４の積分器８１０からの入力を出力する。
【００９１】
コンパレータ８１２は、セレクタ８１１の出力を２値化し、アドレス情報ビットとして出力する。アドレス情報決定部８１３はアドレス情報検出手段である。アドレス情報決定部８１３は、ＡＤＩＰ１０４の全てアドレス情報ウォブル３１４に対するコンパレータ８１２の出力結果に基づいてアドレス情報を決定し、出力する。
【００９２】
次に、図９のフローチャートを参照しながら、本実施の形態の光ディスク装置におけるアドレス情報再生の動作の流れを説明する。アドレス情報の再生が開始されると、図８におけるＡＤＩＰ同期検出部８０１によって、ＡＤＩＰ１０４における位置決めのためのＡＤＩＰ同期が行われる（Ｓ１）。
【００９３】
ＡＤＩＰ同期が確定すると、識別ウォブル３１２、アドレス情報ウォブル３１４のタイミングを生成することができるようになる。そして、図８におけるタイミング生成部８０２、第１の積分器８０７、第２の積分器８０８、ＥＶＥＮ／ＯＤＤ識別部８０３によって、ＥＶＥＮ／ＯＤＤの識別が行われ（Ｓ２）、これはＡＤＩＰ境界に至るまで実施される（Ｓ３）。ＡＤＩＰ境界に至ると、ＥＶＥＮ／ＯＤＤ識別部８０３が識別している状態として先行ＡＤＩＰのＥＶＥＮ／ＯＤＤが決定する（Ｓ４）。
【００９４】
次に図８におけるＥＶＥＮ／ＯＤＤ決定部８１５によって後続ＡＤＩＰのＥＶＥＮ／ＯＤＤが決定する（Ｓ５）。それからセレクタ８１１によって選択されている信号に基づいてアドレス情報の検出が行われる（Ｓ６）。
【００９５】
このように本実施の形態では、トラックのウォブルに応じた信号を生成する信号生成手段と、信号生成手段の生成した信号から第１の波形成分および第２の波形成分を生成する波形生成手段と、波形生成手段の生成した第１の波形成分の信号を用いて位相検波を行う第１の波形成分検波手段と、波形生成手段の生成した第２の波形成分の信号を用いて位相検波を行う第２の波形成分検波手段と、第１の波形成分検波手段および第２の波形成分検波手段の検波結果に基づいてアドレスの検出を行うアドレス情報検出手段、を有し、第１の波形成分および第２の波形成分の周波数は基本ウォブルの周波数と異なり、第１の波形成分と第２の波形成分は位相が異なる、光ディスク装置を開示した。
【００９６】
以上のように、本開示における技術の例示として、実施の形態を説明した。そのために、添付図面および詳細な説明を提供した。
【００９７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９８】
また、上述の実施の形態は、本開示における技術を例示するためのものであるから、特許請求の範囲またはその均等の範囲において種々の変更、置き換え、付加、省略などを行うことができる。
【産業上の利用可能性】
【００９９】
本開示は、トラック溝に対して物理アドレスを表記する媒体ならびにその記録再生装置に適用可能である。具体的には、光ディスク媒体、光テープ、およびその記録再生装置などに適用可能である。
【符号の説明】
【０１００】
３０２  基本ウォブル
４０１  パターンＡのウォブル形状
４０２  パターンＢのウォブル形状
４０３  パターンＣのウォブル形状
４０４  パターンＤのウォブル形状
【図１】
2014238894.tif 000003
【図２】
2014238894.tif 000004
【図３】
2014238894.tif 000005
【図４】
2014238894.tif 000006
【図５】
2014238894.tif 000007
【図６】
2014238894.tif 000008
【図７】
2014238894.tif 000009
【図８】
2014238894.tif 000010
【図９】
2014238894.tif 000011